(57)【特許請求の範囲】
【請求項１】
膝頭を被う大きさで且つ、前記膝頭で押される中央から下方へ開くＶ字状の切欠きを有する板状衝撃吸収材と、該板状衝撃吸収材を囲繞する略同形状の袋体と、該袋体の左右から後方に延ばして、大腿部側に巻かれかつ、前記切欠きの基点の近傍に配置された上部バンドと、前記袋体の左右から後方に延ばして、ふくらはぎ側に巻かれかつ、前記切欠きの長さの中央近傍に配置された下部バンドとからなることを特徴とした膝当てパッド。
【請求項２】
前記板状衝撃吸収材は、膝を曲げたときに、前記基点の近傍に加わる前記膝頭の押力によるとともに、前記上部・下部バンドの締付けに応じて前記Ｖ字状の切欠きの挟み角が小となる方向に変形して、前記袋体の前面へ突出することで、膝頭の納る所定深さが形成されるように構成されていることを特徴とする請求項１記載の膝当てパッド。
【請求項３】
前記袋体は、前記板状衝撃吸収材の前面への突出とともに、板状衝撃吸収材の弾性により卵形を維持して張りを与えた裏地を有し、膝頭に前記張りのある裏地の中央部を押し当てて装着することを特徴とする請求項１記載の膝当てパッド。
【発明の詳細な説明】
【０００１】
【発明の属する技術分野】
本発明は膝当てパッドに関する。
【０００２】
【従来の技術】
膝当ては、健康を目的に使われることが多い。スポーツのとき衝撃から膝を守ったり、冷えから膝を守る。例えば、実用新案登録第３０２２２９０号公報「膝当て及びこれを用いた膝サポーター」は膝当てパッドに関する考案である。同公報の第３図において、この膝当て及びこれを用いた膝サポーターは、膝当て１と、膝サポーター１０とからなる。
膝当て１は、表基布２の裏の袋部内に、円形の孔４Ａを中央に備えた緩衝用パッド４を収納保持し、膝サポーター１０に装着される。
膝サポーター１０は伸縮弾性素材を使用し、膝下部分１２が筒状をなし、膝上部分１１が帯状部分１１Ａ，１１Ｂをなし、この帯状部分１１Ａ，１１Ｂを相互に重ねて調整連結できるサポーターである。
【０００３】
膝下部分１２及び帯状部分１１Ａ，１１Ｂで膝当て１を装着する。膝下部分１２は筒状をなし、この筒状の弾性によりふくらはぎ側を押え、回り止めとともにずり落ちを防ぐ。また、帯状部分１１Ａ，１１Ｂは大腿部に巻付け、重ね量を調整することで、所望の締付け強さに加減できる。
【０００４】
【発明が解決しようとする課題】
しかし、上記の構造では、膝を曲げた姿勢だけでなく膝を伸ばした姿勢でも装着部が強く締付けられることとなり、長時間の作業での使用に不向きである。
【０００５】
そこで、本発明の目的は、長時間の立ち姿勢及び膝曲げ姿勢でも作業の妨げとならない膝当てパッドを提供することにある。
【０００６】
【課題を解決するための手段】
上記目的を達成するために請求項１は、膝頭を被う大きさで且つ、膝頭で押される中央から下方へ開くＶ字状の切欠きを有する板状衝撃吸収材と、板状衝撃吸収材を囲繞する略同形状の袋体と、袋体の左右から後方に延ばして、大腿部側に巻かれかつ、切欠きの基点の近傍に配置された上部バンドと、袋体の左右から後方に延ばして、ふくらはぎ側に巻かれかつ、切欠きの長さの中央近傍に配置された下部バンドとからなることを特徴とする。
【０００７】
膝を曲げたときには、Ｖ字状の切欠が閉じて衝撃吸収材が全体的に卵形状となり、膝頭にフィットする。
膝を伸ばしたときには、Ｖ字状の切欠が開いて衝撃吸収材が縦長なＵ字状となり、膝頭にフィットする。
【０００８】
請求項２は、板状衝撃吸収材は、膝を曲げたときに、基点の近傍に加わる膝頭の押力によるとともに、上部・下部バンドの締付けに応じてＶ字状の切欠きの挟み角が小となる方向に変形して、袋体の前面へ突出することで、膝頭の納る所定深さが形成されるように構成されていることを特徴とする。
【０００９】
立ち姿勢から膝を曲げると、膝頭が板状衝撃吸収材を前に突き出す。その際、バンド部材の締付け力はＶ字状の切欠きに作用し、切欠きの隙間が小さくなるので、突出した形状を容易に形成することができる。
【００１０】
請求項３は、袋体が、板状衝撃吸収材の前面への突出とともに、板状衝撃吸収材の弾性により卵形を維持して張りを与えた裏地を有し、膝頭に張りのある裏地の中央部を押し当てて装着することを特徴とする。
【００１１】
板状衝撃吸収材の切欠きを狭くして卵形にし、袋体に入れ、裏地に張りを与える。張りのある裏地は、中央部が一番たわみやすく、最も安定した位置であり、中央部を押している膝頭からずれ難い。
【００１２】
【発明の実施の形態】
本発明の実施の形態を添付図に基づいて以下に説明する。なお、図面は符号の向きに見るものとする。
図１は本発明に係る膝当てパッドの側面図であり、膝を曲げた状態を示す。
膝当てパッド１は板状衝撃吸収材２と、この板状衝撃吸収材２を包む袋体であるところの袋３と、この袋３の左右から後方に延ばしたバンド部材であるところのバンド４とからなる。Ｄは大腿部、Ｈはふくらはぎ、Ｆは床（又は膝をつくもの）、Ｓは作業ズボンである。
バンド４は、ゴム製で、大腿部Ｄ側に巻く上部バンド４ａと、ふくらはぎＨ側に巻く下部バンド４ｂとからなる。
【００１３】
図２は本発明に係る膝当てパッドの要部断面図であり、膝を曲げた状態での膝立て姿勢を示す。
大腿部Ｄに対して、ふくらはぎＨが略９０°に曲った状態を「膝を曲げた状態」と呼称することにする。
図では、膝を曲げたことで、板状衝撃吸収材２が略卵形となって膝頭を被っていることを示す。
【００１４】
図３は本発明に係る膝当てパッドの分解斜視図である。
板状衝撃吸収材２は、膝頭を被う大きさの長円板であり、中央５の基点５ａから下方へ所定の角度（挟み角）に開いたＶ字状の切欠き６と、通気孔７…（…は複数を示す。以下同様。）とを設けたものである。２ａは上辺、２ｂは下辺、２ｃは左辺、２ｄは右辺である。
袋３は、板状衝撃吸収材２より少し大きい綿製の表地１１と、この表地１１に縫い付けたナイロン製の裏地１２と、表地１１の縁及び裏地１２の縁に縫い付けたファスナ１３とからなる。
【００１５】
板状衝撃吸収材２を包む要領は、まず、表地１１の裏に仮想線の矢印の如く板状衝撃吸収材２を合せて仮想線の所定位置に置く。次に、裏地１２を仮想線の矢印の如く閉じ、ファスナ１３を閉じ、袋３を作るとともに袋３で板状衝撃吸収材２を包む。逆に、板状衝撃吸収材２を取出す要領は、ファスナ１３を開け、袋３を開き、板状衝撃吸収材２を取出す。
袋３の周囲にファスナ１３を縫い付けたので、袋３の開閉が容易になり、袋３の洗濯や交換が簡単にできる。また、板状衝撃吸収材２の交換も容易にできる。なお、通気孔７で空気の流れを図り、膝当てパッド１による発汗を抑える作用をなす。
【００１６】
図４は本発明に係る膝当てパッドの斜視図であり、袋３で板状衝撃吸収材２を包んだ状態を示す。
袋３内にある板状衝撃吸収材２は、平坦で且つ切欠き６がＶ字状を保つ。
１４…はバンド４に設けた面ファスナであり、大腿部にバンド４ａを巻付け、所望の締付け強さになるよう面ファスナ１４を重ね合せる。ふくらはぎにも同様にバンド４ｂを巻付け、膝当てパッドを膝に装着する。
１５は裏地１２に形成した凹凸模様である。
【００１７】
以上に述べた膝当てパッドの作用を次に説明する。
図５は本発明に係る膝当てパッドの作用を説明する透視図であり、作業ズボンＳの上から膝当てパッド１を取付け、立ち姿勢で作業している状態を示す。立ち姿勢では、バンド４ａ，４ｂの締付けにより、板状衝撃吸収材２の左・右辺２ｃ，２ｄが膝の左右を囲うように縦長なＵ字状になる。同時に、下辺２ｂから脚までの間に隙間Ｇを形成する。隙間Ｇがあってもバンド４ａの締付けにより、膝当てパッド１は下がらない。隙間Ｇができることで、脚の動きが楽になり、膝を伸ばした立ち姿勢での作業性が向上する。
【００１８】
図６は図５の６−６線断面図であり、膝に装着し、非屈曲（立ち姿）を裏地側から見た状態を示す。
立ち姿では、板状衝撃吸収材２の切欠き６がＶ字状に開いたままである。膝当てパッド１はバンド４ａ，４ｂの所望の締付け強さで装着されるので、締付けに不快感がない。
凹凸模様１５により作業ズボンＳ（図５）に対して滑り難くなるので、膝当てパッド１のずり落ち防止が向上する。
【００１９】
図７は図２の７−７線断面図であり、膝を曲げた状態での膝立て姿勢を裏地側から見た状態を示す。
膝を曲げた状態で膝当てパッド１を使う。膝を曲げると、バンド４ａ，４ｂが板状衝撃吸収材２を後方に引き、同時に切欠き６の基点５ａであるＡ点から少しの距離δだけ離れたＢ点に膝頭で体重の押力がかかり、板状衝撃吸収材２は卵形に変形し始める。このとき、切欠き６は矢印▲１▼の如く角度が小となる方向に閉じるので、各辺２ａ，２ｂ，２ｃ，２ｄは波状にならずに自動的に持上がり（図面表）、卵形の凹部形状に容易に変形する。板状衝撃吸収材２が変形して膝にフィットするから、長時間着けていても動作に違和感を感じさせず、また、必要以上の締付け強さも感じさせない。
さらに、切欠き６が閉じるので、脛まで保護できる。
【００２０】
図８は図２の８−８線断面図である。
膝を曲げた状態での膝立て姿勢では、袋３の左右の縁から板状衝撃吸収材２の中央付近に深さＥができる。膝を曲げたときにバンド４ａ，４ｂの締付けに応じて、板状衝撃吸収材２は前面へ突出するとともに深さＥは変化する。この深さＥに膝頭が納るので、膝当てパッドは安定する。
【００２１】
図９（ａ），（ｂ）は本発明に係る膝当てパッドの別実施例を示す図であり、（ａ）は側面図、（ｂ）は（ａ）のｂ−ｂ線断面図である。上記図１〜図４に示す実施の形態と同様の構成については、同一符号を付し説明を省略する。
（ａ）において、膝当てパッド２０は、板状衝撃吸収材２と、バンド４と、袋２１とからなる。
袋２１は、表地２２と、この表地２２に縫い付けた裏地２３と、表地２２の縁及び裏地２３の縁に縫い付けたファスナ１３とからなる。
表地２２は、綿製で、板状衝撃吸収材２の卵形にほぼ合せ裁断したものである。
裏地２３は、ナイロン製で、板状衝撃吸収材２の卵形にほぼ合せ裁断したものである。
【００２２】
袋２１で板状衝撃吸収材２を包むには、板状衝撃吸収材２の切欠き６（図３参照）を狭くして卵形にし、袋２１に入れ、ファスナ１３を閉じる。袋２１に入れると、板状衝撃吸収材２の弾性により卵形を維持して裏地２３に張りを与える。
【００２３】
（ｂ）において、切欠き６を狭め、板状衝撃吸収材２を断面ハの字にして袋２１に収納した状態を示す。板状衝撃吸収材２の前面への突出で中央から裏地２３までの間に最大深さｈを形成し、裏地２３には、膝に装着する前に所定の張力が働く。
【００２４】
図１０（ａ）〜（ｃ）は本発明に係る膝当てパッドの別実施例の作用説明図であり、理解を容易にするために図９の膝当てパッド２０をモデル化したものである。
（ａ）において、膝頭に裏地２３の上部端Ｐ１を当て、膝当てパッド２０を装着した状態を示す。膝曲げによる力Ｆが上部端Ｐ１にかかり、たわみＸ１だけ押すと、、裏地２３の中央がよりたわみやすいため、膝当てパッド２０には上方に移動しようとする力Ｆ１が働き、移動を開始する。
【００２５】
（ｂ）において、移動する膝当てパッド２０は、移動距離Ｈ１だけ動き、上からの距離Ｙ３と下からの距離Ｙ４がほぼ等しい中央点Ｐ２の位置で落ち着き、止まる。この中央点Ｐ２が最も安定する位置であり、膝を曲げたときに常に膝当てパッド２０の先端とのクッションストロークを最大に維持できる。すなわち、膝頭に張りのある裏地２３の中央点Ｐ２を押し当て、装着するから、膝当てパッド２０は下り難くく、繰り返し使用してもずり落ちる心配がない。
【００２６】
（ｃ）において、膝頭に裏地２３の下部端Ｐ３を当て、膝当てパッド２０を装着した状態を示す。膝曲げによる力Ｆが下部端Ｐ３にかかり、たわみＸ１だけ押すと、、裏地２３の中央がよりたわみやすいため、膝当てパッド２０には下方に移動しようとする力Ｆ２が働き、移動を開始する。（ｂ）に戻って、移動する膝当てパッド２０は、移動距離Ｈ２だけ動き、中央点Ｐ２の位置で落ち着き、止まる。すなわち、膝頭に張りのある裏地２３の中央点Ｐ２を押し当て、装着するから、膝当てパッド２０は上り難くく、繰り返し使用してもずり上る心配がない。なお、膝当てパッド２０（別実施例）を装着した状態は、膝当てパッド１と同様であり、図１及び図５の装着状態である。
【００２７】
本発明の膝当てパッドは、立ち姿勢で部品を受取り、膝を曲げて部品を取付ける、曲げ伸ばし動作の頻度が高い職場でも、ずり落ちる心配やずり上がる心配がなく、膝及び脛も痛くない。さらに、膝をつきつつ部品を取付ける作業時間が多い環境でも、膝当てパッドによる締付けの不快感が生じる心配がない。従って、膝をつく作業に好適な膝当てである。
【００２８】
尚、本発明の実施の形態に示した図３の表地１１を綿から耐摩耗に優れた生地に替えてもよく、また、裏地１２をナイロンからより肌ざわりのよい生地に替えてもよい。
図３の板状衝撃吸収材２の基点５ａに小さい通し孔を形成してもよい。
図３の表地１１及び裏地１２にファスナ１３を縫い付けたが、ファスナ１３をつけずに表地１１に裏地１２を直接縫い付けてもよい。
また、図４の凹凸模様１５は丸形状の凹凸模様の外、多角形状や縦長・横長形状の凹凸模様でもよい。
さらに、バンド４は紐でもよく、バンド先端同士の結合法は面ファスナの外、バックル、ホックなど任意の手法を採用できる。
【００２９】
【発明の効果】
本発明は上記構成により次の効果を発揮する。
請求項１では、膝頭を被う大きさで且つ、膝頭で押される中央から下方へ開くＶ字状の切欠きを形成した板状衝撃吸収材と、板状衝撃吸収材を囲繞する略同形状の袋体と、袋体の左右から後方に延ばして、大腿部側に巻かれかつ、切欠きの基点の近傍に配置された上部バンドと、袋体の左右から後方に延ばして、ふくらはぎ側に巻かれかつ、切欠きの長さの中央近傍に配置された下部バンドとからなるので、膝を曲げたときには、Ｖ字状の切欠が閉じて板状衝撃吸収材が全体的に卵形状となり、膝頭にフィットし、必要以上の締付け強さを感じさせない。また、膝を伸ばしたときには、Ｖ字状の切欠が開いて板状衝撃吸収材は縦長なＵ字状となり、膝頭にフィットする。当初の所望の締め加減で膝当てパッドを保持でき、ずり落ちを防止する。
【００３０】
請求項２では、板状衝撃吸収材は、膝を曲げたときに、基点の近傍に加わる膝頭の押力によるとともに、上部・下部バンドの締付けに応じてＶ字状の切欠きの挟み角が小となる方向に変形して、袋体の前面へ突出することで、膝頭の納る所定深さが形成されるので、立ち姿勢から膝を曲げると、膝頭の押力及び上部・下部バンドの締付け力はＶ字状の切欠きに作用し、切欠きの角度を小さくする。その結果、膝頭の納る所定深さの突出した形状を容易に形成することができる。従って、長時間の膝曲げ姿勢でも作業の妨げとならない。
【００３１】
請求項３では、袋体は、板状衝撃吸収材の前面への突出とともに、板状衝撃吸収材の弾性により卵形を維持して張りを与えた裏地を有し、膝頭に張りのある裏地の中央部を押し当てて装着するので、張りのある裏地は、中央部が一番たわみやすく、最も安定した位置であり、中央部を押している膝頭からずれ難い。その結果、膝当てパッドが膝頭からずり上る心配がないとともによりずり落ち難い。
【図面の簡単な説明】
【図１】本発明に係る膝当てパッドの側面図
【図２】本発明に係る膝当てパッドの要部断面図
【図３】本発明に係る膝当てパッドの分解斜視図
【図４】本発明に係る膝当てパッドの斜視図
【図５】膝当てパッドの作用を説明する透視図
【図６】図５の６−６線断面図
【図７】図２の７−７線断面図
【図８】図２の８−８線断面図
【図９】本発明に係る膝当てパッドの別実施例を示す図
【図１０】本発明に係る膝当てパッドの別実施例の作用説明図
【符号の説明】
１，２０…膝当てパッド、２…板状衝撃吸収材、２ａ…上辺、２ｂ…下辺、２ｃ…左辺、２ｄ…右辺、３，２１…袋体（袋）、４…バンド部材（バンド）、５…中央、６…切欠き、１１…表地、１２，２３…裏地、Ｐ２…中央部（中央点）。
【図１】
0003887103.tif 000002
【図２】
0003887103.tif 000003
【図３】
0003887103.tif 000004
【図４】
0003887103.tif 000005
【図５】
0003887103.tif 000006
【図６】
0003887103.tif 000007
【図７】
0003887103.tif 000008
【図８】
0003887103.tif 000009
【図９】
0003887103.tif 000010
【図１０】
0003887103.tif 000011